【手続補正書】
【提出日】平成25年2月18日(2013.2.18)
【手続補正１】
【補正対象書類名】明細書
【補正対象項目名】発明の名称
【補正方法】変更
【補正の内容】
【発明の名称】表示装置、表示補助装置、および、表示システム
【手続補正２】
【補正対象書類名】明細書
【補正対象項目名】０００１
【補正方法】変更
【補正の内容】
【０００１】
本発明は、表示装置、表示補助装置、および、表示システムに関し、特に、３Ｄ表示に好適な表示装置、表示補助装置、および、表示システムに関する。
【手続補正３】
【補正対象書類名】明細書
【補正対象項目名】０００９
【補正方法】変更
【補正の内容】
【０００９】
本発明は、上記実状を鑑みてなされたものであり、３Ｄ表示を適切に鑑賞できる表示装置、表示補助装置、および、表示システムを提供することを目的とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
上記目的を達成するため、本発明の第１の観点にかかる表示装置は、
右眼用の画像と左眼用の画像を分離して視認させるための表示補助装置との協働によって３Ｄ表示を実現する表示装置であって、
前記表示補助装置が検出する該表示補助装置の傾き、及び／又は、前記表示装置の表示画面を鑑賞する鑑賞者への前記表示補助装置の装着状態を示す状態情報を受信する受信手段と、
前記受信手段が受信した、前記状態情報に基づいて、前記３Ｄ表示にかかる表示制御をおこなう表示制御手段と、
を備えることを特徴とする。
【手続補正６】
【補正対象書類名】明細書
【補正対象項目名】００１２
【補正方法】変更
【補正の内容】
【００１２】
上記目的を達成するため、本発明の第２の観点にかかる表示補助装置は、
表示装置による右眼用の画像と左眼用の画像を分離することで３Ｄ表示を実現する表示補助装置であって、
該表示補助装置の傾き、及び／又は、前記表示装置の表示画面を鑑賞する鑑賞者への前記表示補助装置の装着状態を検出する状態検出手段と、
該状態検出手段が検出した前記表示補助装置の状態に基づいて、前記表示装置の表示動作を制御させるための状態情報を生成する状態情報生成手段と、
前記状態情報生成手段が生成した状態情報を、前記表示装置に送信する送信手段と、
を備えることを特徴とする。
上記目的を達成するため、本発明の第３の観点にかかる表示システムは、
右眼用の画像と左眼用の画像を表示することで３Ｄ表示をおこなう表示装置と、
前記表示された右眼用の画像と左眼用の画像を分離して視認させるための表示補助装置と、から構成される表示システムであって、
前記表示装置が、上記記載の表示装置であり、
前記表示補助装置が、上記記載の表示補助装置である、
ことを特徴とする。
【手続補正７】
【補正対象書類名】明細書
【補正対象項目名】００６６
【補正方法】変更
【補正の内容】
【００６６】
３Ｄ表示に用いられる両眼画像は、視差に相当する左右方向のズレがあるため、３Ｄ表示として認識するには、図８（ａ）に示したような方向で鑑賞することが望ましいが、ある程度の許容範囲を含んでいる。本実施形態では、図８（ｂ）および図８（ｃ）に示すような、基準角度の０°から±α°の範囲を許容範囲とし、この範囲を「正規視認範囲」とする。なお、α°は３Ｄ表示の仕様や表示装置１００の性能などによって任意に規定されるものであり、例えば、α°＝１５°程度であるものとする。このように、姿勢検出部２５０は、表示装置１００に対する表示補助装置２００のローリング方向の傾きを検出する。
【手続補正８】
【補正対象書類名】特許請求の範囲
【補正対象項目名】全文
【補正方法】変更
【補正の内容】
【特許請求の範囲】
【請求項１】
右眼用の画像と左眼用の画像を分離して視認させるための表示補助装置との協働によって３Ｄ表示を実現する表示装置であって、
前記表示補助装置が検出する該表示補助装置の傾き、及び／又は、前記表示装置の表示画面を鑑賞する鑑賞者への前記表示補助装置の装着状態を示す状態情報を受信する受信手段と、
前記受信手段が受信した、前記状態情報に基づいて、前記３Ｄ表示にかかる表示制御をおこなう表示制御手段と、
を備えることを特徴とする表示装置。
【請求項２】
前記状態情報が示す前記表示補助装置の傾きが、前記３Ｄ表示を鑑賞者が認識できる許容範囲内にあるか否かを判別する傾き状態判別手段をさらに備え、
前記表示制御手段は、
前記傾き状態判別手段が、前記表示補助装置の傾きが前記許容範囲内にあると判別した場合、当該傾きに応じて、前記３Ｄ表示にかかる画像の表示方向を制御する、
ことを特徴とする請求項１に記載の表示装置。
【請求項３】
前記表示制御手段は、
前記傾き状態判別手段が、前記表示補助装置の傾きが前記許容範囲内にあると判別した場合、当該傾きに応じて、前記３Ｄ表示にかかる画像の表示の視差を制御する、
ことを特徴とする請求項２に記載の表示装置。
【請求項４】
前記表示制御手段は、
前記傾き状態判別手段が、前記表示補助装置の傾きが前記許容範囲内にあると判別した場合、当該傾きに応じて、前記３Ｄ表示にかかる画像の表示サイズを制御する、
ことを特徴とする請求項２または３に記載の表示装置。
【請求項５】
当該表示装置は、
前記傾き状態判別手段が、前記表示補助装置の傾きが前記許容範囲内にないと判別した場合、該表示補助装置を装着している鑑賞者に対し、注意喚起を行う、
ことを特徴とする請求項２乃至４のいずれか１項に記載の表示装置。
【請求項６】
当該表示装置は、
前記表示制御手段で注意喚起情報を出力することによって、注意喚起を行う、
ことを特徴とする請求項５に記載の表示装置。
【請求項７】
前記表示制御手段は、
前記傾き状態判別手段が、前記表示補助装置の傾きが前記許容範囲内にないと判別した場合、前記３Ｄ表示の効果を低減させる、
ことを特徴とする請求項２乃至６のいずれか１項に記載の表示装置。
【請求項８】
前記状態情報が示す前記装着状態が適切であるか否かを判別する装着状態判別手段をさらに備え、
当該表示装置は、
前記装着状態判別手段が、前記装着状態が適切ではないと判別した場合、該表示補助装置を装着している鑑賞者に対し、注意喚起を行う、
ことを特徴とする請求項１乃至７のいずれか１項に記載の表示装置。
【請求項９】
前記装着状態判別手段が、前記装着状態が適切ではないと判別した場合、
前記表示制御手段は、前記３Ｄ表示の効果を低減させる、
ことを特徴とする請求項８に記載の表示装置。
【請求項１０】
表示部の方向を検出する方向検出手段をさらに備え、
前記表示制御手段は、前記状態情報と前記方向検出手段の検出結果とに基づいて、前記３Ｄ表示にかかる表示制御をおこなう、
ことを特徴とする請求項１乃至９のいずれか１項に記載の表示装置。
【請求項１１】
表示装置による右眼用の画像と左眼用の画像を分離することで３Ｄ表示を実現する表示補助装置であって、
該表示補助装置の傾き、及び／又は、前記表示装置の表示画面を鑑賞する鑑賞者への前記表示補助装置の装着状態を検出する状態検出手段と、
該状態検出手段が検出した前記表示補助装置の状態に基づいて、前記表示装置の表示動作を制御させるための状態情報を生成する状態情報生成手段と、
前記状態情報生成手段が生成した状態情報を、前記表示装置に送信する送信手段と、
を備えることを特徴とする表示補助装置。
【請求項１２】
前記状態検出手段の検出結果に基づいて、前記表示補助装置の傾き、及び／又は、前記装着状態を判別する状態判別手段をさらに備え、
当該表示補助装置は、前記状態判別手段が、前記傾きが前記３Ｄ表示を鑑賞者が認識できる許容範囲内にない、及び／又は、前記装着状態が適切でないと判別した場合、鑑賞者に対し注意喚起を行う、
ことを特徴とする請求項１１に記載の表示補助装置。
【請求項１３】
前記送信手段は、前記状態判別手段が、前記装着状態が適切であると判別した場合、前記状態情報生成手段が生成した状態情報を、前記表示装置に送信する、
ことを特徴とする請求項１１または１２に記載の表示補助装置。
【請求項１４】
前記表示補助装置は、
時分割して表示される画像に同期してシャッタ動作をおこなうための切替同期信号を生成する信号生成手段をさらに備え、
前記送信手段は、前記信号生成手段で生成された前記切替同期信号を送信する、
ことを特徴とする請求項１１乃至１３のいずれか１項に記載の表示補助装置。
【請求項１５】
右眼用の画像と左眼用の画像を表示することで３Ｄ表示をおこなう表示装置と、
前記表示された右眼用の画像と左眼用の画像を分離して視認させるための表示補助装置と、から構成される表示システムであって、
前記表示装置が、請求項１乃至請求項１０のいずれか１項に記載の表示装置であり、
前記表示補助装置が、請求項１１乃至請求項１４のいずれか１項に記載の表示補助装置である、
ことを特徴とする表示システム。
【手続補正９】
【補正対象書類名】図面
【補正対象項目名】図７
【補正方法】変更
【補正の内容】
【図７】
2012205262.tif 000001